(57)【要約】【課題】エレベータ機器を容易に揚重することができるエレベータ機器の揚重装置を得ることである。【解決手段】この発明に係るエレベータ機器の揚重装置は、エレベータ機器３を搭載する揚重台３ａを吊り下げて揚重する揚重手段５と、揚重台３ａに取り付けられた案内部材７とを備え、この案内部材７が昇降路壁に対向した案内部１０を有して、揚重台３ａを昇降路壁１ａに対して水平方向に規制するとともに、案内部１０が昇降路壁１ａに対して上下方向に相対的に移動して揚重台３ａを上下方向に案内するものである。そのため、エレベータ機器３が揚重される際に水平方向に揺動しようとしても、案内部材７が昇降路壁１ａに対して水平方向に規制し、エレベータ機器３が昇降路壁に衝突することがない。【選択図】  図１
2010247917.tif 000002
【特許請求の範囲】
【請求項１】
エレベータ機器を搭載する揚重台と、
昇降路の上部に取り付けられ、前記揚重台を吊り上げて、前記エレベータ機器を前記昇降路内で揚重する揚重手段と、
前記揚重台に取り付けられ、昇降路壁に対向した案内部を有して、前記揚重台を前記昇降路壁に対して水平方向に規制するとともに、前記案内部が前記昇降路壁に対して上下方向に移動して前記揚重台を上下方向に案内する案内部材と、
を備えたことを特徴とするエレベータ機器の揚重装置。
【請求項２】
前記案内部材は、前記案内部が前記昇降路壁に対して回転するローラを備えていることを特徴とする請求項１に記載のエレベータ機器の揚重装置。
【請求項３】
前記ローラは上下に複数個所に設けたことを特徴とする請求項２に記載のエレベータ機器の揚重装置。
【請求項４】
前記案内部材は、前記案内部を水平方向に移動させるとともに、前記案内部を弾性体で前記昇降路壁に向かって押圧する押圧手段を備えたことを特徴とする請求項１から３のいずれかに記載のエレベータ機器の揚重装置。
【請求項５】
前記案内部材は、前記案内部の水平方向の取り付け位置を調整する調整手段を備えたことを特徴とする請求項１から４のいずれかに記載のエレベータ機器の揚重装置。
【請求項６】
前記案内部材は、前記案内部が上下方向に回転するとともに、前記案内部の回転を保持する保持手段とを備えたことを特徴とする請求項１から５のいずれかに記載のエレベータ機器の揚重装置。
【発明の詳細な説明】
【技術分野】
【０００１】
この発明は、エレベータ機器を昇降路内に搬入して設置する際、エレベータ機器を昇降路内の所定の高さ位置まで揚重するのに好適なエレベータ機器の揚重装置に関するものである。
【背景技術】
【０００２】
従来のエレベータ機器の揚重装置は、昇降路のピットに設置され、乗場の床面とほぼ同一高さの床面を有する受台と、エレベータ機器を搭載する台車と、昇降路上部に設置されエレベータ機器を吊上げるウィンチとを備え、エレベータ機器を台車に搭載した状態で、この台車を乗場から受台の床面上に移動させて、エレベータ機器をウィンチのほぼ真下付近に配置した後、ウィンチによりエレベータ機器を揚重している。（例えば、特許文献１参照）
【先行技術文献】
【特許文献】
【０００３】
【特許文献１】特開平１０−２１８５２８号公報（第３−４頁、第１図）
【発明の概要】
【発明が解決しようとする課題】
【０００４】
前述した従来のエレベータ機器の揚重装置は、エレベータ機器をウィンチのほぼ真下付近に配置することで、エレベータ機器に水平方向の力が掛からない状態で垂直方向に揚重している。しかしながら、エレベータの据付現場では、昇降路を吹き抜ける風や建築工事に伴う建物の振動が発生する場合がある。この状態で従来の揚重装置でエレベータ機器を垂直方向に揚重したとしても、風がエレベータ機器に当たることや、建物の振動によってウィンチ自体が振動することなどにより、エレベータ機器が揺動してしまう。従って、エレベータ機器が揺動により昇降路の壁に衝突しないように慎重に揚重しなければならず、揚重作業に多大な時間を要するといった問題点があった。
本発明は、かかる問題を解決するためになされたもので、その目的は、エレベータ機器を容易に揚重することができるエレベータ機器の揚重装置を得ることである。
【課題を解決するための手段】
【０００５】
この発明に係るエレベータ機器の揚重装置は、エレベータ機器を搭載する揚重台を吊り下げて揚重する揚重手段と、揚重台に取り付けられた案内部材とを備え、この案内部材が昇降路壁に対向した案内部を有して、揚重台を昇降路壁に対して水平方向に規制するとともに、案内部が昇降路壁に対して上下方向に相対的に移動して揚重台を上下方向に案内するものである。
【発明の効果】
【０００６】
これにより、エレベータ機器が揚重される際に水平方向に揺動しようとしても、案内部材が昇降路壁に対して水平方向に規制し、エレベータ機器が昇降路壁に衝突することがない。そのため、エレベータ機器を慎重に揚重しなくてよく、揚重作業に多大な時間を要することなく容易に揚重することができる。
【図面の簡単な説明】
【０００７】
【図１】本発明の実施の形態１におけるエレベータ機器の揚重装置を示す全体図である。
【図２】図１のＡ部を拡大した詳細図である。
【図３】図２の矢印Ｂから視た図である。
【図４】本発明の実施の形態１におけるエレベータ機器の揚重装置の使用状態を説明するための図である。
【図５】本発明の実施の形態１におけるエレベータ機器の揚重装置の使用状態を説明するための図である。
【図６】本発明の実施の形態２におけるエレベータ機器の揚重装置の要部拡大を示す図である。
【図７】図６の矢印Ｃから視た図である。
【図８】本発明の実施の形態２におけるエレベータ機器の揚重装置の動作状態を説明するための図である。
【図９】本発明の実施の形態３におけるエレベータ機器の揚重装置を示す全体図である。
【図１０】図９のＤ部を拡大した詳細図である。
【発明を実施するための形態】
【０００８】
以下、本発明の実施の形態について、詳細に説明する。
実施の形態１．
図１は、本発明の実施の形態１におけるエレベータ機器の揚重装置を示す全体図である。図２は図１のＡ部を拡大した詳細図である。図３は図２の矢印Ｂから視た図である。図４及び５は揚重装置の使用状態を説明するための図である。
エレベータの昇降路１は側面に昇降路壁１ａを有し、上部に機械室２を有する。この機械室２にエレベータ機器である巻上機３が据付けられる。なお、エレベータ機器は巻上機３の他に制御盤などがあり、機械室２内に設置される。また、機械室２以外の昇降路１内に設置される機器もある。そして、これらのエレベータ機器を昇降路１内で揚重して所定の位置に据付ける。ここでは、一例として巻上機３を揚重する場合について説明する。
【０００９】
揚重装置４は機械室２の上部に設置された揚重手段であるウィンチ５を備えている。このウィンチ５は、巻上機３を吊り上げたロープ６を巻き取ることで巻上機３を揚重する。この巻上機３は取り付け台３ａの上に搭載されており、この取り付け台３ａを機械室２に取り付けて、巻上機３が据付けられる。この取り付け台３ａは例えばＨ形鋼で構成されており、下面が機械室２の床２ａに取り付けられる。なお、取り付け台３ａは巻上機３を搭載して揚重するための揚重台と、機械室２に据付けるための台と兼用している。また、ロープ６は、取り付け台３ａに取り付けられた吊りフック３ｂに引っ掛けられており、巻上機３を吊り上げている。また、揚重装置４は、取り付け台３ａの両側に取り付けられた案内部材７を備えている。この案内部材７は、固定部材８と、支持棒９と、案内部１０と、調整手段１１と、押圧手段１２とを有している。固定部材８は断面が略コ字状を呈し、下部が調整手段１１に取り付けられている。そして、固定部材８の上部に固定ネジ８ａがねじ込まれている。この固定ネジ８ａの先端と固定部材８の下部との間に取り付け台３ａの下部が配置され、固定ネジ８ａをねじ込むことで、取り付け台３ａが固定部材８に固定される。
【００１０】
調整手段１１は中空のブロック状を呈した調整部材１１ａを有し、この調整部材１１ａの中空部に、棒状を呈した支持棒９が水平方向に移動可能に挿入されている。そして、調整部材１１ａの側面には取り付けネジ１１ｂが挿入されている。この取り付けネジ１１ｂが支持棒９に設けられたネジ穴１１ｃにねじ込まれて、調整部材１１ａが支持棒９に締結されている。また、取り付けネジ１１ｂとネジ穴１１ｃは水平方向に複数個並べて配置されている。そして、取り付けネジ１１ｂのねじ込む位置をずらすことで、支持棒９が調整部材１１ａに対して水平方向の取り付け位置を調整して取り付けられる。なお、調整部材１１ａと、取り付けネジ１１ｂと、ネジ穴１１ｃとで、調整手段１１を構成している。
【００１１】
支持棒９の先端部には押圧手段１２が設けられている。そして、案内部１０がこの押圧手段１２の先端部に取り付けられて、昇降路壁１ａに対向している。押圧手段１２は、案内部１０を水平方向に伸縮可能に支持するスライド部１２ａと、案内部１０を昇降路壁１ａに向かって押圧する弾性体１２ｂとを有している。スライド部１２ａは棒状を呈し、支持棒９の先端部に摺動可能に挿入されている。そして、弾性体１２ｂがスライド部１２ａの外周に配置されて、支持棒９の先端部から案内部１０を昇降路壁１ａに向かって押圧する。なお、本実施の形態の弾性体１２ｂは図２のようなコイルバネである。
【００１２】
案内部１０は、支持棒９の中心軸に対して上下の２箇所に配置されたローラー１０ａを有している。このローラー１０ａが押圧手段１２によって昇降路壁１ａに押圧されるとともに、昇降路壁１ａに対して回転する。以上によって、案内部材７が巻上機３及び取り付け台３ａを昇降路壁１ａに対して水平方向に規制しながら上下方向に移動し、巻上機３及び取り付け台３ａを上下方向に案内する。
【００１３】
次に、本発明の実施の形態１におけるエレベータ機器の揚重装置の使用状態について説明する。
ウィンチ５を機械室２の上部に取り付ける。次に、巻上機３を取り付け台３ａに取り付けた状態で昇降路１内の底部に搬入する。そして、ロープ６をウィンチ５から繰り出し、取り付け台３ａに取り付けられた吊りフック３ｂに引っ掛ける。次に、ウィンチ５を操作して巻上機３を吊上げる。そして、巻上機３が吊上げられた状態で、取り付け台３ａに案内部材７を取り付ける。このとき、調整手段１１により、昇降路１の幅寸法に対応して支持棒９の取り付け位置を調整する。この調整は次のように行われる。即ち、案内部１０のローラー１０ａが昇降路壁１ａに接するように、支持棒９を調整部材１１ａに対して移動させて取り付け位置を調整する。また、この取り付け位置は、案内部１０が押圧手段１２によって昇降路壁１ａに押圧するように設定される。例えば、図１に示した昇降路１の幅寸法より小さい昇降路の場合、図４のように、取り付けネジ１１ｂのねじ込む位置をずらすことで、支持棒９の取り付け位置を上記のように調整する。
【００１４】
次に、ウィンチ５を操作させて、巻上機３と取り付け台３ａを据付けられる高さ位置に揚重する。このとき、ローラー１０ａは昇降路壁１ａに押圧された状態で回転しながら上へ移動していく。そして、吊上げられた巻上機３と取り付け台３ａが水平方向に揺動しようとしても、ローラー１０ａが昇降路壁１ａに押圧されて、案内部材７が昇降路壁１ａに対して水平方向に規制する。また、揚重の際に案内部材７が上下方向に作用するモーメントに対して、上下の２箇所に配置されたローラー１０ａが支持する。
【００１５】
また、図５のように昇降路壁１ａに起伏１ｂがある場合、ローラー１０ａがこの起伏１ｂの高さに相当した量に移動するように、押圧手段１２のスライド部１２ａが弾性体１２ｂに押圧された状態で後退する。また、建築誤差などによって昇降路１の幅寸法が高さ方向に変化する場合でも、スライド部１２ａが弾性体１２ｂに押圧された状態で伸縮し、ローラー１０ａが昇降路１の幅寸法に対応して追従する。
【００１６】
以上の実施の形態１におけるエレベータ機器の揚重装置は、次に示す効果を奏する。
揚重装置４は、巻上機３が取り付け台３ａに搭載されて、この取り付け台３ａを吊り上げて巻上機３を揚重するウィンチ５と、取り付け台３ａに取り付けられた案内部材７を備えている。そして、案内部材７には、支持棒９に押圧手段１２を介して案内部１０が設けられている。この案内部１０は昇降路壁１ａに対向して配置されて、取り付け台３ａを昇降路壁１ａに対して水平方向に規制しながら上下方向に移動し、取り付け台３ａを上下方向に案内する。これによって、巻上機３が揚重される際に水平方向に揺動しようとしても、案内部材７が昇降路壁１ａに対して水平方向に規制し、巻上機３が昇降路壁１ａに衝突することがない。そのため、巻上機３を慎重に揚重しなくてよく、揚重作業に多大な時間を要することなく容易に揚重することができる。
【００１７】
また、案内部１０には、昇降路壁１ａに対して回転するローラー１０ａを備えている。これにより、案内部材７が円滑に上下に移動することができ、さらに揚重作業を容易とすることができる。また、ローラー１０ａは上下の２箇所に配置したので、揚重の際に案内部材７が上下方向に作用するモーメントを支持し、安定して巻上機３を揚重することができる。
また、案内部材７には、案内部１０を水平方向に移動させるとともに、昇降路壁１ａに向かって押圧する押圧手段１２を備えている。これにより、昇降路１の幅寸法に変化がある場合でも案内部１０が昇降路１の幅寸法に対応して追従し、常時、昇降路壁１ａに接触した状態で巻上機３を揚重する。従って、さらに安定して巻上機３を揚重することができる。また、押圧手段１２に弾性体１２ｂを有しているので、揚重時、昇降路壁１ａの起伏１ｂによって発生する衝撃を弾性体１２ｂが緩衝し、安定して巻上機３を揚重することができる。
【００１８】
また、案内部材７には、案内部１０の水平方向の取り付け位置を調整する調整手段１１を備えている。これにより、昇降路１の幅寸法に対応して案内部１０を取り付けることができ、建築誤差など昇降路１の幅寸法に誤差が生じた場合や昇降路サイズが異なる場合でも、１種類の揚重装置で対応できる。
【００１９】
実施の形態２．
図６は、本発明の実施の形態２におけるエレベータ機器の揚重装置の要部拡大を示す図である。図７は図６の矢印Ｃから視た図である。図８は、揚重装置の動作状態を説明するための図である。実施の形態２の揚重装置２０は、実施の形態１に対して、案内部材２０ａの案内部１０が回転する機構を備えたものである。
図において、調整手段１１の調整部材１１ａに、棒状を呈した調整軸材２１が水平方向に移動可能に挿入されている。また、この調整軸材２１には取り付けネジ１１ｂに対応したネジ穴１１ｃが設けられており、取り付けネジ１１ｂがネジ穴１１ｃにねじ込まれて、調整部材１１ａが調整軸材２１に締結されている。また、調整軸材２１の先端部に軸２２が設けられ、この軸２２に支持棒２３が上下方向に回転するように支持されている。そして、支持棒２３の先端部に、実施の形態１と同様に押圧手段１２が設けられ、案内部１０がこの押圧手段１２の先端部に取り付けられている。
支持棒２３の根元部に保持手段２４である復元バネ２４ａの一端が取り付けられている。そして、復元バネ２４ａの他端が調整軸材２１の軸２２と反対側に取り付けられている。復元バネ２４ａは上記のように取り付けられて、支持棒２３の根元部を調整軸材２１側へ引っ張っている。以上のように支持棒２３が取り付けられて、案内部１０が支持棒２３を介して上下方向に回転するとともに、復元バネ２４ａが案内部１０の回転を保持している。
【００２０】
次に、本実施の形態におけるエレベータ機器の揚重装置の動作状態について説明する。巻上機３を揚重する際に、案内部１０のローラー１０ａがほぼ平坦な昇降路壁１ａに対して移動する場合、図６のように支持棒２３は復元バネ２４ａのバネ力で水平な姿勢を維持する。そして、巻上機３をさらに揚重して機械室２の高さ位置に揚重しようとするとき、ローラー１０ａが機械室２の床２ａに当る。このとき、図８のように、ローラー１０ａが床２ａに当った状態で、支持棒２３が軸２２を中心に、復元バネ２４ａのバネ力に抗して回転する。そして、巻上機３及び揚重装置２０が床２ａに形成された開口部２ｂを通過し、巻上機３が機械室２の位置に揚重される。なお、巻上機３及び揚重装置２０が開口部２ｂを通過した後、案内部１０は、復元バネ２４ａの引っ張り力によって水平な姿勢に復元しながら、機械室２の壁２ｃに当り、巻上機３が適正な位置に揚重される。
その他については、実施の形態１と同様であり詳細な説明は省略する。
【００２１】
以上の実施の形態２におけるエレベータ機器の揚重装置は、実施の形態１と同様な効果を奏するとともの次に示す効果も奏する。
昇降路１に機械室２が設けられている場合、機械室２の床２ａによって形成される開口部２ｂは昇降路１内の幅寸法より小さい。従って、機械室２内に巻上機３などのエレベータ機器を揚重する場合、エレベータ機器及び揚重装置を開口部２ｂより通過させる必要がある。実施の形態２は、案内部１０が支持棒２３を介して上下方向に回転するとともに、復元バネ２４ａによってこの回転を保持している。これにより、機械室２内に巻上機３などのエレベータ機器を揚重する場合、エレベータ機器から揚重装置を取り外さなくても案内部１０が回転し、エレベータ機器及び揚重装置が開口部２ｂを通過することができ、揚重作業をさらに容易とすることができる。
【００２２】
実施の形態３．
図９は、本発明の実施の形態３におけるエレベータ機器の揚重装置を示す全体図である。図１０は図９のＤ部を拡大した詳細図である。実施の形態１の揚重装置４は、案内部材７を巻上機３の取り付け台３ａに取り付けたが、実施の形態３の揚重装置３０は、案内部材７を揚重台である揚重用テーブル３１に取り付けたものである。図において、揚重用テーブル３１は、例えば、Ｈ形鋼の枠材３１ａにテーブル３１ｂが取り付けられた構成である。そして、枠材３１ａの下面に案内部材７が取り付けられている。また、揚重用テーブル３１には吊りフック３１ｃが取り付けられており、この吊りフック３１ｃにロープ６を掛け、ウィンチ５によって揚重用テーブル３１が揚重される。そして、巻上機３以外のエレベータ機器３２が揚重用テーブル３１の上に搭載されて揚重される。その他については、実施の形態１と同様であり詳細な説明は省略する。
【００２３】
以上の実施の形態３におけるエレベータ機器の揚重装置は、実施の形態１と同様な効果を奏するとともの次に示す効果も奏する。
実施の形態３は、揚重用テーブル３１に案内部材７を取り付けたので、巻上機３以外のエレベータ機器３２を揚重することができ、昇降路１内に設置される各種のエレベータ機器を容易に揚重することができる。
【００２４】
なお、上記実施の形態は、案内部１０が押圧手段１２によって、昇降路壁１ａに押圧されながら揚重しているが、これに限定されない。押圧手段１２を備えなくても、案内部１０が昇降路壁１ａとの間に隙間を有して配置された構成であってもよい。この場合、エレベータ機器を揚重する際、案内部１０と昇降路壁１ａの隙間に相当した量にエレベータ機器が揺動するが、案内部１０が昇降路壁１ａに対して水平方向に規制するので、エレベータ機器が昇降路壁１ａに衝突することがなく、容易に揚重することができる。
また、案内部１０は、上下の２箇所に配置されたローラー１０ａを有したが、ローラー１０ａを備えなくても、案内部１０が昇降路壁１ａに対向したものであればよい。この場合でも、昇降路壁１ａに対して水平方向に規制することができる。また、ローラー１０ａを上下に２箇所に配置したが、３箇所以上あるいは１箇所に配置してもよい。この場合でも、案内部材７が円滑に上下に移動することができる。
【００２５】
また、弾性体１２ｂとしてコイルバネを示したが、円筒状のゴムでもよく、案内部１０を押圧するものであればよい。
また、昇降路１に機械室２を有したものを示したが、機械室２の無い昇降路にも適用可能である。
また、実施の形態２において、保持手段２４を復元バネ２４ａで示したが、ゴムのような弾性体でもよい。また、軸２２の軸芯上に支持棒２３の回転に対して抗力を発生するねじりバネを設けてもよく、案内部１０の回転を保持するものであればよい。
【符号の説明】
【００２６】
１  昇降路、３  巻上機、４  揚重装置、５  ウィンチ、７  案内部材、
８  固定部材、９  支持棒、１０  案内部、１０ａ  ローラー、１１  調整手段、
１１ａ  調整部材、１２  押圧手段、１２ａ  スライド部、１２ｂ  弾性体、
２０  揚重装置、２０ａ  案内部材、２１  調整軸材、２２  軸、２３  支持棒、
２４  保持手段、２４ａ  復元バネ、３０  揚重装置、３１  揚重用テーブル、
３２  エレベータ機器
【図１】
2010247917.tif 000003
【図２】
2010247917.tif 000004
【図３】
2010247917.tif 000005
【図４】
2010247917.tif 000006
【図５】
2010247917.tif 000007
【図６】
2010247917.tif 000008
【図７】
2010247917.tif 000009
【図８】
2010247917.tif 000010
【図９】
2010247917.tif 000011
【図１０】
2010247917.tif 000012